(57)【要約】【課題】フライ時において串刺しすることなく断面を凹状になるように被フライ材の形を定めることができるようにする。【解決手段】上方に開口部３を形成し第一の縦断面４を下向きに突設する被フライ材Ａの載置受け部材２と、該載置受け部材２の上面に前記開口部３を通して載置受け部材２に遊嵌可能に設けられる第二の縦断面10を下向に突設する被フライ材Ａの押さえ部材９とを設ける。載置受け部材２、押さえ部材９は略円弧形状に形成され、油通過用の第一の貫通部７、第二の貫通部13がそれぞれ設けられている。三枚におろした魚の骨などの被フライ材Ａを載置受け部材２と押さえ部材９の間に挟んで保形して油で揚げることで、串などを利用することなく、簡単に被フライ材Ａを仕上げることができる。【選択図】図１
0003156565.tif 000002
【実用新案登録請求の範囲】
【請求項１】
上方に開口部を形成し第一の縦断面を下向きに突設する被フライ材の載置受け部材と、該載置受け部材の上面に前記開口部を通して前記載置受け部材に遊嵌可能に設けられる第二の縦断面を下向に突設する前記被フライ材の押さえ部材とを設けたことを特徴とするフライ用具。
【請求項２】
前記第一の縦断面、前記第二の縦断面は略円弧形状に形成され、前記載置受け部材、前記押さえ部材には油通過用の第一の貫通部、第二の貫通部がそれぞれ設けられ、前記載置受け部材側と前記押さえ部材側との間にストッパーが設けられたことを特徴とする請求項１記載のフライ用具。
【請求項３】
前記載置受け部材は第一の凹部、第一の凸部が繰り返して連続する波形状の第一の金属線材により形成されると共に、前記押さえ部材は第二の凹部、第二の凸部が繰り返して連続する波形状の第二の金属線材により形成されることを特徴とする請求項２記載のフライ用具。
【考案の詳細な説明】
【技術分野】
【０００１】
本考案は、から揚げ調理やてんぷら調理に利用するフライ用具に関するものである。
【背景技術】
【０００２】
従来、魚介類フライなどのから揚げ調理やてんぷら調理に利用され、具材と共にフライ用油に浸漬するフライ用具として、具材をくし刺しし、このようなものを具材の収容スペースを設け棒体で形成されたキャリアーに収容してフライ調理を行うものが知られている（例えば、特許文献１）。
【先行技術文献】
【特許文献】
【０００３】
【特許文献１】再公表公報２００３／０２００５２
【考案の概要】
【考案が解決しようとする課題】
【０００４】
例えば、鯛等魚類を、骨とその両側にある魚肉を分離して３枚におろし、そして３枚おろしの魚肉の受け皿となるように、３枚おろしの骨を略円弧状に丸めてフライする場合、骨の長手方向の両側に串を刺したままフライ用油に浸漬しなければならず、フライ前にわざわざ骨に串を刺すことは煩雑であった。
【０００５】
又、揚げ終わった３枚おろしの骨から串を抜く際に尻尾やヒレの破損が多く現品が冷めてからの作業となるので時間と商品のロスが多く発生していた。
【０００６】
解決しようとする問題点は、例えば３枚におろした魚の骨を串を使用することなく、魚肉の受け皿などに利用できるようにフライ時において断面を凹状になるように形を定めることができるようにすることである。
【課題を解決するための手段】
【０００７】
請求項１の考案は、上方に開口部を形成し第一の縦断面を下向きに突設する被フライ材の載置受け部材と、該載置受け部材の上面に前記開口部を通して前記載置受け部材に遊嵌可能に設けられる第二の縦断面を下向に突設する前記被フライ材の押さえ部材とを設けたことを特徴とするフライ用具である。
【０００８】
請求項２の考案は、前記第一の縦断面、前記第二の縦断面は略円弧形状に形成され、前記載置受け部材、前記押さえ部材には油通過用の第一の貫通部、第二の貫通部がそれぞれ設けられ、前記載置受け部材側と前記押さえ部材側との間にストッパーが設けられたことを特徴とする請求項１記載のフライ用具である。
【０００９】
請求項３の考案は、前記載置受け部材は第一の凹部、第一の凸部が繰り返して連続する波形状の第一の金属線材により形成されると共に、前記押さえ部材は第二の凹部、第二の凸部が繰り返して連続する波形状の第二の金属線材により形成されることを特徴とする請求項２記載のフライ用具である。
【考案の効果】
【００１０】
請求項１の考案によれば、被フライ材を載置受け部材と押さえ部材の間に挟んで保形して油で揚げることで、串などを刺すことなく調理できる。
【００１１】
請求項２の考案によれば、第一の貫通部、第二の貫通部に油が入り込んで被フライ材を直接油で調理でき、又、ストッパーによって載置受け部材側と押さえ部材側とを一体的に設けることができる。
【００１２】
請求項３の考案によれば、被フライ材と第一の金属線材、第二の金属線材との接触状態を点接触的にすることができ、均一に油で揚げることができる。しかも、第一の凹部、第一の凸部、第二の凹部、第二の凸部は波形に連続するので、被フライ材を傷付けにくくなる。
【図面の簡単な説明】
【００１３】
【図１】本考案の第１実施例を示す押さえ部材を閉じた状態の斜視図である。
【図２】同押さえ部材を開いた状態の斜視図である。
【考案を実施するための最良の形態】
【００１４】
本考案における好適な実施の形態について、添付図面を参照して説明する。尚、以下に説明する実施の形態は、実用新案登録請求の範囲に記載された本考案の内容を限定するものではない。又、以下に説明される構成の全てが、本考案の必須要件であるとは限らない。
【実施例１】
【００１５】
図１〜図２は実施例１のフライ用具１を示しており、例えば三枚におろした骨である被フライ材Ａを載置するための載置受け部材２は、上方に開口部３を形成してその第一の縦断面４を下向に突設する略円弧形状に形成している。そして、この載置受け部材２は第一の縦断面４の第一の中心軸線５を横向きとした横長形状であり、実施例では円筒の略半割り形状になっている。尚、第一の縦断面４を例えば角形状にして下向に突設するようにしてもよい。この載置受け部材２は、ステンレス鋼等の第一の金属線材６を格子状に組み合わせて形成したものであり、第一の金属線材６相互間の空隙によって油通過用の第一の貫通部７が形成されている。又、第一の金属線材６における被フライ材Ａとの接触可能部位は、第一の凹部６Ａ、第一の凸部６Ｂが繰り返して連続する波形状に形成されている。尚、載置受け部材２の外側には支持脚８が設けられている。
【００１６】
前記載置受け部材２の上面に開口部３を通して載置受け部材２に遊嵌可能に設けられる被フライ材Ａの押さえ部材９は、その第二の縦断面10を下向に突設する略円弧形状に形成している。尚、第一の縦断面、第二の縦断面を例えば角形状にして下向に突設するようにしてもよい。そして、この押さえ部材９はその第二の縦断面10の第二の中心軸線11を横向きとした横長形状であり、実施例では円筒の略１／３割り形状になっている。この押さえ部材９は、第二の金属線材12を格子状に組み合わせて形成したものであり、第二の金属線材12相互間の空隙によって油通過用の第二の貫通部13が形成されている。又、第二の金属線材12における被フライ材Ａとの接触可能部位は、第二の凹部12Ａ、第二の凸部12Ｂが繰り返して連続する波形状に形成されている。
【００１７】
さらに、載置受け部材２における第一の中心軸線５方向の一側端側と、押さえ部材９における第二の中心軸線11方向の一側端側とは、接続部14を介して押さえ部材９が載置受け部材２に対して起伏できるように回動自在に接続されている。又、載置受け部材２における第一の中心軸線５方向の他側端側に、第一の中心軸線５方向に向かって逆Ｌ字形状をなした上向き部15Ａとこの上向き部15Ａの上端から外側に向かう横向き部15Ｂからなる第一の取手15が突設しており、さらに、押さえ部材９における第二の中心軸線11方向の他側端側に、上方に向かって第二の取手16が突設しており、この第二の取手16は載置受け部材２に押さえ部材９を遊嵌した状態で上向き部15Ａの内側に沿うように設けられており、しかも、第二の取手16の高さ方向の途中に、ストッパー17が設けられており、このストッパー17を第一の取手15側の第一の金属線材６に形成されるストッパー受け部18に係止することで、押さえ部材９の載置受け部材２からの浮き上がりを阻止できるようになっている。
【００１８】
次に、図２に示すように前記構成についてその作用を説明する。接続部14を回転中心として押さえ部材９を起立させて開口部３を開放した状態で、被フライ材Ａを載置受け部材２の上面に載置する。この際、被フライ材Ａは載置受け部材２の上面に沿って略円弧状に曲った状態で載置されることとなる。
【００１９】
そして、接続部14を回転中心として押さえ部材９を伏すように開口部３を通して下ろし、押さえ部材９の下面を被フライ材Ａに押し当てると共に、ストッパー17をストッパー受け部18に係止することで押さえ部材９を固定する。この際、被フライ材Ａは押さえ部材９の下面に沿って略円弧状に曲った状態で載置されることとなる。
【００２０】
このようにして、図１に示すように被フライ材Ａが略円弧状に曲った状態に保持された状態で、フライ用具１を油槽或いは鍋（図示せず）に収容されたフライ用油に浸漬する。実施例では油槽或いは鍋（図示せず）の底に載置受け部材２の下面及び支持脚８を設置させて上部開口部３を上向きにして設置する。このような状態で被フライ材Ａは油で揚げられる。この調理によって被フライ材Ａは縦断面が略円弧状となって調理される。
【００２１】
このようにして調理がなされると、第一の取手15を握ってフライ用具１を油面より上げ、そしてストッパー17を外して押さえ部材９を起立させて、調理された被フライ材Ａを載置受け部材２より取り出して、例えば料理の盛り付け用の皿代用品として使用される。
【００２２】
以上のように、前記実施例では、請求項１に対応して、上方に開口部３を形成し第一の縦断面４を下向きに突設する被フライ材Ａの載置受け部材２と、該載置受け部材２の上面に前記開口部３を通して載置受け部材２に遊嵌可能に設けられる第二の縦断面10を下向に突設する被フライ材Ａの押さえ部材９とを設けたことにより、被フライ材Ａを載置受け部材２と押さえ部材９の間に挟んで保形して油で揚げることで、串などを利用することなく、簡単に被フライ材Ａを仕上げることができる。この結果、揚げ終わった３枚おろしの骨から串を抜く際に生じた尻尾やヒレの破損がなくなり、時間と商品のロスをなくすことができる。
【００２３】
又、実施例では、請求項２に対応して、載置受け部材２の第一の縦断面４、押さえ部材９の第二の縦断面10はそれぞれ略円弧形状に形成されているので、被フライ材Ａを皿代用品のように略円弧状に形成でき、さらに、載置受け部材２、押さえ部材９には油通過用の第一の貫通部７、第二の貫通部13がそれぞれ設けられていることで、第一の貫通部７、第二の貫通部13に油が入り込んで被フライ材Ａを直接油で調理でき、しかも、載置受け部材２側である第一の取手15と押さえ部材９側との間にストッパー17が設けられたことによって、調理時において載置受け部材２側と押さえ部材９側とを一体的に設けることができ、被フライ材Ａの保形力を確保することができる。
【００２４】
さらに、前記実施例では、請求項３に対応して、載置受け部材２は第一の凹部６Ａ、第一の凸部６Ｂが繰り返して連続する波形状の第一の金属線材６により形成されると共に、押さえ部材９は第二の凹部12Ａ、第二の凸部12Ｂが繰り返して連続する波形状の第二の金属線材12により形成されることによって、被フライ材Ａと第一の金属線材６、第二の金属線材12との接触状態を線接触状ではなく、点接触状にすることができ、この結果、被フライ材Ａと油との接触を拡大することで均一に被フライ材Ａを加熱調理することができる。しかも、第一の凹部６Ａ、第一の凸部６Ｂ、第二の凹部12Ａ、第二の凸部12Ｂは波形に連続するので、被フライ材Ａを傷付けにくくなる。
【産業上の利用可能性】
【００２５】
以上のように本考案にかかるフライ用具は、各種の揚げもの等の用途に適用できる。
【符号の説明】
【００２６】
２  載置受け部材
３  開口部
４  第一の縦断面
６  第一の金属線材
６Ａ  第一の凹部
６Ｂ  第一の凸部
７  第一の貫通部
９  押さえ部材
10  第二の縦断面
12  第二の金属線材
12Ａ  第二の凹部
12Ｂ  第二の凸部
13  第二の貫通部
17  ストッパー
【図１】
0003156565.tif 000003
【図２】
0003156565.tif 000004